(57)【要約】【課題】  ベンチの高さ寸法を低くした場合であっても、当該ベンチに着座する人に効果的に冷気を供給して冷房することが可能となるベンチを提供する。【解決手段】  ベンチ１は、コンプレッサ４０、コンデンサ４１及びエバポレータ１２を含む冷媒回路を有した冷却ユニットＲと、この冷却ユニットＲと一体に構成され、座部４及び背部５を有した椅子３と、この椅子３の背部５両側部に設けられ、吹出部材２５が取り付けられた冷気吐出部２０、２０とを備え、送風機としてのブロアファン１３によりエバポレータ１２と熱交換した冷気を、冷気吐出部２０の吹出部材２５から斜め上内方に向けて吹き出し、椅子３の着座空間に着座する人の肩部から首部の範囲を冷却する。【選択図】  図１
2006102193.tif 000002
【特許請求の範囲】
【請求項１】
コンプレッサ、コンデンサ及びエバポレータを含む冷媒回路を有した冷却ユニットと、
該冷却ユニットと一体に構成され、座及び背を有した椅子と、
該椅子の背両側部に設けられた吹出口とを備え、
送風機により前記エバポレータと熱交換した冷気を、前記吹出口から斜め上内方に向けて吹き出すことを特徴とするベンチ。
【請求項２】
前記椅子を複数備え、前記送風機により前記冷却ユニットのエバポレータと熱交換した冷気を前記各椅子に分配し、各椅子の吹出口からそれぞれ吹き出すことを特徴とする請求項１のベンチ。
【発明の詳細な説明】
【技術分野】
【０００１】
本発明は、例えば駅のホームなどのように設置スペースが限られる屋外に設置される冷却機能を備えたベンチに関するものである。
【背景技術】
【０００２】
従来より、例えば駅のホームなどに設置される椅子や公共の施設に設置される椅子などは、座と背を備えたもの若しくは、座のみを備えたものなどがあり、椅子自体に冷却手段や加熱手段を備えているものは少ない。しかしながら、特に屋外に設置される椅子は、野外の温度や通風状態、照射される日光などにより大きく影響を受ける。そのため、特に夏季などに、日差しの強い環境や高い温度環境では、椅子を構成する背や座が著しく加熱され、使用者に不快感を与えることとなり、更には、椅子の使用自体が不可能となる場合もある。そのため、使用者は、椅子が設置されているにも拘わらず、椅子を使用できない状態を強いられることとなる。また、冬季など低い温度環境では、椅子を構成する背や座が著しく冷却されるため、この場合にも使用者に不快感を与えることとなる。また、使用者の身体を冷却することから、冷えの原因ともなり、椅子の使用がためらわれることもある。
【０００３】
他方、従来の椅子には、身体との密着面、即ち、背や座を加温するものが開発されている。これにより、冬季など低い温度環境における背や座の低温による不快感を解消することができる。また、高い温度環境となる夏季などにおいて、身体と椅子の密着している部分、即ち、背中や脚部での通風不足から生じる発汗による不快感を改善するため、椅子の底部、背部、横部の何れかに空気の吹出手段を備えた椅子が開発されている（特許文献１参照。）。
【０００４】
また、この他にも、空調機能を備えた椅子としてペルチェ効果を有する熱素子に送風機を設け、当該椅子の頭部側方に冷気や暖気を供給し、空調を行う椅子がある（特許文献２参照）。
【０００５】
更に、上記以外にも、図１０に示されるような座１０２及び背１０３により着座空間を構成する椅子１００において、座１０２の下方に冷却ユニット１０１を備え、当該冷却ユニット１０１にて冷却された冷気を背１０３の上方から前方に向けて吐出するものが考えられる。
【特許文献１】特開平５−１４６３４４号公報
【特許文献２】実開平２−４４５０号公報
【発明の開示】
【発明が解決しようとする課題】
【０００６】
しかしながら、上述した如き特許文献１の椅子は、当該椅子が設置される室内用の空調設備から供給される冷暖房用空気を吹出手段から吹き出すものであるため、室内に設置することや設置場所が変更されないことが前提となる。そのため、空調設備が設けられる室内よりも著しく野外の温度や通風状態、照射される日光などにより影響を受ける屋外に係る椅子を設置することはできない。
【０００７】
そのため、空調設備とは別に夏季などにおける椅子の着座空間を冷却する方法として、扇風機などの送風手段を設け、係る送風手段による送風により着座空間の環境改善を行うことが考えられる。しかし、この場合、送風する空気の温度を積極的に低下させる機能を有していないため、効果的に着座空間を冷却することができないという問題がある。そこで、駅のホームなどのように設置スペースが限られる屋外に設置可能な冷却機能を備えた椅子の開発が要望されている。
【０００８】
そこで、着座空間上方から冷気を着座空間に向けて吐出するものが考えられるが、当該椅子と一体に構成されると共に、着座空間の上方に冷気供給手段を設けると、椅子自体の高さ寸法が大きくなる問題がある。これは、特に、駅のホームなどに設置された場合に、使用者に圧迫感を与えると共に、椅子の反対側にいる利用者にとって見通しが悪くなることで周囲の状況が分からなくなるという不都合が生じる。
【０００９】
他方、上述した如き特許文献２の椅子は、ペルチェ効果を有する熱素子によって冷却又は加熱された空気を送風機により椅子を構成する頭部の両側方において前方に風を吐出するものである。そのため、頭部側方から吐出される冷気又は暖気は椅子の着座空間に両側方を流れることとなり直接、着座空間の人に風を供給することができないこととなる。そのため、当該頭部側方に吐出された冷気又は暖気は、着座空間の人の冷房又は暖房としての利用される割合が低く、当該冷気又は暖気による冷房機能又は暖房機能を効率的に用いることができないという問題がある。
【００１０】
また、かかる従来の椅子は、空調された空気を頭部側方に吐出することから、椅子全体の高さを少なくとも着座される人の頭部より高く構成しなければ成らず、上記従来例と同様に、椅子自体の高さ寸法が大きくなる問題がある。
【００１１】
更にまた、上記図１０で示される椅子では、着座空間に座る人が冷風を感じる領域に冷気を吐出するため、背１０３を人の頭部にまで構成し、後頭部に向けて冷気を吐出することとなる。そのため、椅子１００全体の高さ寸法が大きくなってしまう。これにより、例えば当該椅子１００を駅のホームなどに設置されると、子供などの背丈の低い者にとって、椅子１００の後方から、椅子１００前方の状況を視認することができないこととなる。
【００１２】
本発明は従来の技術的課題を解決するために成されたものであり、ベンチの高さ寸法を低くした場合であっても、当該ベンチに着座する人に効果的に冷気を供給して冷房することが可能となるベンチを提供する。
【課題を解決するための手段】
【００１３】
本発明のベンチは、コンプレッサ、コンデンサ及びエバポレータを含む冷媒回路を有した冷却ユニットと、該冷却ユニットと一体に構成され、座及び背を有した椅子と、該椅子の背両側部に設けられた吹出口とを備え、送風機によりエバポレータと熱交換した冷気を、吹出口から斜め上内方に向けて吹き出すことを特徴とする。
【００１４】
請求項２の発明のベンチは、上記発明において、椅子を複数備え、送風機により冷却ユニットのエバポレータと熱交換した冷気を各椅子に分配し、各椅子の吹出口からそれぞれ吹き出すことを特徴とする。
【発明の効果】
【００１５】
本発明のベンチによれば、コンプレッサ、コンデンサ及びエバポレータを含む冷媒回路を有した冷却ユニットと、該冷却ユニットと一体に構成され、座及び背を有した椅子と、該椅子の背両側部に設けられた吹出口とを備え、送風機によりエバポレータと熱交換した冷気を、吹出口から斜め上内方に向けて吹き出す構成としたので、当該ベンチの高さ寸法を低くして周辺の見通しをよく形成した場合であっても、当該ベンチに着座する様々な背丈の人に対応して冷気を吹き付けることができるようになる。そのため、特に、駅のホームに設けられるようなベンチには特に有利となる。
【００１６】
請求項２の発明によれば、上記発明において、椅子を複数備え、送風機により冷却ユニットのエバポレータと熱交換した冷気を各椅子に分配し、各椅子の吹出口からそれぞれ吹き出すので、一台の冷却ユニットで複数の椅子に冷気を分配して各椅子の吹出口から冷気を吹き出すことができるようになる。これにより、各椅子ごとに冷却ユニットを設ける場合に比して、著しくコストの削減を図ることができるようになる。
【発明を実施するための最良の形態】
【００１７】
以下、図１乃至図７を参照して本発明のベンチ１について説明する。図１はベンチ１の斜視図、図２はベンチ１の後方斜視図、図３はベンチ１の縦断側面図、図４はベンチ１の下部横断平面図、図５はベンチ１の背部縦断正面図、図６はベンチ１の使用状態を示す平面図をそれぞれ示している。
【００１８】
本実施例のベンチ１は、例えば駅のホームなどように設置スペースが限られる屋外に設置されるものである。本実施例において、ベンチ１は、略矩形体に形成された本体２と、当該本体２上に設けられる複数、本実施例では３つの椅子３、３、３などから構成されている。椅子３・・は、所定間隔を存して設けられると共に、詳細は後述する座部４及び背部５を備えている。
【００１９】
本体２は、例えば金属製の矩形体により構成されており、内部には冷却ユニットＲ及び送風機としてのブロアファン１３が配設される機械室２１が形成されている。また、当該本体２の上部であって、機械室２１の上方には、長手方向に渡って延在する仕切板１０が設けられている。この仕切板１０は、上方に開口する断面略コ字状に形成されており、当該開口は本体２天面にて閉塞されている。そして、この仕切板１０及び本体２天面にて構成される空間に冷気ダクト１１が形成されている。
【００２０】
この仕切板１０の底面には、機械室２１内の本実施例では向かって左側に配設されるブロアファン１３の上方に位置して当該ブロアファン１３の吐出口と冷気ダクト１１とを連通する冷気吐出口１４が形成されている。また、冷気ダクト１１の上方に位置する本体２の上面には、当該本体２に設けられる各椅子３・・に対応してそれぞれ冷気送出口１５・・が形成されており、詳細は後述する如く冷気ダクト１１内の冷気を各椅子３・・に送出可能としている。
【００２１】
他方、前記ブロアファン１３の吸込側には、冷却ユニットＲのエバポレータ１２が配設されていると共に、当該ブロアファン１３の吸込側は、本体２の前面側となるように構成されている。そして、本体２の前面には、前面パネル２６が設けられており、ブロアファン１３の前方に位置して冷気用の複数の吸込口２６Ａが形成されている。尚、図５において２４は、当該エバポレータ１２に生じた結露を受容するドレンパンである。
【００２２】
そして、前記冷却ユニットＲは、図４に示すように前記エバポレータ１２と共に、冷媒回路を構成するコンプレッサ４０と、コンデンサ４１と、図示しないコンデンサ用送風機などが設けられている。そして、冷却ユニットＲの前方に位置する本体２の前面パネル２６には、廃熱用の複数の吸込口２６Ｂが形成されている。
【００２３】
尚、この本体２の背面には、図２に示すように背面パネル２７が設けられており、当該背面パネル２７には、複数の排出口２７Ａが形成されている。これら排出口２７Ａには、機械室２１内の廃熱を積極的に排出するための図示しない送風機が設けられている。これにより、前記コンデンサ用送風機が運転されると、廃熱用の吸込口２６Ｂから機械室２１内に吸気され、コンデンサ４１及びコンプレッサ４０を空冷した後、前記送風機によって本体２背面の排出口２７Ａより廃熱が外部に排出される。
【００２４】
次に、本体２上面に設けられる椅子３・・について説明する。椅子３・・は、それぞれ本体２上面に取り付けられる座部４と、当該座部４の後部から上方に立設して当該座部４と一体に形成される背部５とから構成される。実施例においてこれら座部４及び背部５は、例えば風雨などに耐久性を有する硬質合成樹脂により構成されている。また、本実施例では、座部４及び背部５は、一体に形成されているが、一体でなくても良いものとする。そして、この背部５の上部は、図６の平面図に示すように両側部が前方に延出して形成され、椅子３の着座空間内方に向かって所定角度に折曲して形成された冷気吐出部２０、２０が形成されている。
【００２５】
これら冷気吐出部２０には、冷気吹出口が形成されており、当該冷気吹出口には、図７及び図８に示す如き吹出部材２５が取り付けられている。尚、図２中、３Ａは、当該椅子３を座部４及び背部５に渡って支持し、本体２に固定するための支持部材である。
【００２６】
ここで、吹出部材２５について、図７及び図８を参照して説明する。図７は吹出部材２５の正面図、図８は吹出部材２５の側面図を示している。当該吹出部材２５は、前記椅子３を構成する座部４や背部５と同様に硬質合成樹脂により構成されており、グリル３０と、冷気誘導部３１とを備えている。グリル３０は、背部５に形成された冷気吐出部２０の冷気吹出口を閉塞するように構成されており、前面には、図７に示すように複数の吹出孔３０Ａが形成されている。冷気誘導部３１は、図８に示すようにグリル３０の後面から後方に向けて低く尚且つ椅子３内方に向かって湾曲して形成されており、一端が、前記グリル３０の吹出孔３０Ａに開放されると共に、他端が、後述するダクト配管２２に向けて開放された内部中空とされる。
【００２７】
更に、この冷気誘導部３１内には、前部から後部に渡って、冷気誘導部３１内を上下に区画すると共に、当該冷気誘導部３１下方から導入された冷気を上方に指向するため前部が高くなるように傾斜される冷気指向板３２が形成されている。尚、本実施例において冷気指向板３２は、１つであるが、これ以上であっても良いものとする。
【００２８】
当該吹出部材２５は、背部５の上部両側に形成される冷気吐出部２０の冷気吹出口に前方から嵌め込むことにより、取り付けられる。これにより、冷気吐出部２０内に送出された冷気は、冷気誘導部３１の冷気指向板３２によって、上部前方に指向された後、該冷気吐出部２０の内方に向けて湾曲された形状により、グリル３０の各吹出孔３０Ａから斜め上内方に向けて吹き出されることとなる。
【００２９】
本発明において、椅子３を構成する背部５の上端は、図９に示されるように、例えば、平均的な身長の大人が着座した際の胸部から肩部の範囲に位置するの高さとなるように構成されている。実際には、二十代男性の平均身長は１７１．３ｃｍであり、二十代女性の平均身長は１５８．０ｃｍであり、男性の座高は約９２ｃｍ、女性は約８５ｃｍである。そのため、着座した際の胸部から肩部の範囲は、座面から例えば４０〜６５ｃｍの高さとなる。
【００３０】
そこで、本発明では、椅子３を構成する背部５の上端は、床面から８５〜１１０ｃｍ、座面から４０〜６５ｃｍの範囲とし、当該背部５の上部に設けられる吹出部材２５の範囲は、当該背部５の上端から吹出部材２５の高さ寸法分、例えば１０ｃｍだけ下がった範囲とする。尚、本実施例における背部５の上端は床面から約１００ｃｍ、座面は床面から約４５ｃｍであるものとし、吹出部材２５は、座面から約４５〜５５ｃｍの範囲に渡って設けられているものとする。
【００３１】
そして、本実施例では、これら椅子３を構成する座部４及び背部５は、例えば内部中空に形成されており、座部４から背部５に渡って一連の空間が形成されているものとする。そして、この空間には、ダクト配管２２が配設される。このダクト配管２２は、一端が本体２上面に形成された前記冷気送出口１５に接続された後、２方向に分岐し、一方は、背部５に沿って上昇した後、例えば右側の冷気吐出部２０に取り付けられた吹出部材２５に接続され、他方は、同じく背部５に沿って上昇した後、左側の冷気吐出部２０に取り付けられた吹出部材２５に接続されている。これにより、ベンチ１には、冷気ダクト１１から各椅子３に設けられるダクト配管２２・・及び冷気誘導部３１に渡る一連のダクトが形成される。尚、本実施例では、ダクト配管２２は、一つの配管２２が途中で分岐することにより、二方向に吐出するものとしているが、これ以外にも、２つの配管を直接冷気送出口１５に接続することにより実現しても良いものとする。
【００３２】
以上の構成により、送風機としてのブロワファン１３が運転されると、本体２の前面パネル２６に形成される前記冷気用の吸込口から外気が本体２内に吸い込まれ、当該外気は、エバポレータ１２と熱交換し冷気となる。エバポレータ１２で熱交換された冷気は、ブロワファン１３により冷気吐出口１４を介して冷気ダクト１１内に吐出され、当該冷気ダクト１１は、各冷気送出口１５・・を介してそれぞれの椅子３・・に分配される。
【００３３】
これにより、冷気ダクト１１内の冷気は、各冷気送出口１５を介してそれぞれの椅子３に設けられたダクト配管２２・・に吹き出され、当該ダクト配管２２内を上昇し、椅子３の背部５の両側部に設けられた冷気吐出部２０に到達する。係る冷気吐出部２０には、吹出部材２５が設けられているため、椅子３の背部５に沿って上昇した冷気は、当該吹出部材２５の冷気誘導部３１内に進入し、当該冷気誘導部３１に設けられる冷気指向板３２によって上方且つ内方に指向された後、グリル３０に形成される吹出孔３０Ａから椅子３の着座空間に吹き出される。これにより、冷気は、図４及び図５に示されるように、吹出部材２５から斜め上内方に向けて吹き出される。尚、当該吹出部材２５から吹き出される冷気は、外気の風により影響されることなく、且つ、着座空間の人の髪などが大きく乱れない程度の風速、例えば３ｍ／ｓ〜１２ｍ／ｓ程度の風速であることが望ましい。
【００３４】
このとき、椅子３は、上述したように背部５の上端は、例えば、二十代男性の平均身長が１７１．３ｃｍ、座高が約９２ｃｍ、二十代女性の平均身長が１５８．０ｃｍ、座高が約８５ｃｍが着座した際の胸部から肩部の範囲に位置するの高さ、例えば、座面から４０ｃｍ〜６５ｃｍと成るように構成されている。そのため、当該背部５の上部に構成される冷気吐出部２０から冷気が斜め上内方に向けて吹き出されることにより、冷気は、当該椅子３に着座する人の肩部から首部の範囲、例えば、座面から４５ｃｍ〜７５ｃｍの範囲に向けて吹き出されることとなる。
【００３５】
これにより、当該ベンチ１の椅子３に着座する様々な背丈の人に対応して、冷気を吹き付けることができるようになる。特に、冷気は、衣服などにより覆われず、露出されている箇所、即ち、肩部や首部などにあたるように、吹出部材２５によって風向調整が行われているため、より一層、効果的に冷気を着座する人に吹き出すことができるようになる。これにより、着座する人は、心地よく涼感を感じることができるようになる。
【００３６】
また、本実施例では、詳細は上述したようにベンチ１に取り付けられる椅子３の上端を、着座する人の胸部から肩部の範囲（起立する人では、例えば、図９に示すように臀部から腰部の範囲）となるように、低く設定していることから、設置場所における圧迫感を解消することができると共に、ベンチ１周辺の見通しを良くすることができる。そのため、特に、本実施例のように、駅のホームに設けられた場合であっても、ベンチ１越しの見通しが良好とされるため、ベンチ１の反対側からでもホーム内の様子を視認することができ、特に有効となる。また、当該高さは、標準的な小学生の背丈（例えば、１２０ｃｍ程度）よりも低くなるため、当該小学生にとっても視線の高さよりも椅子３の高さが低くなり、圧迫感を解消することができ、椅子３上方の視認性を向上される。
【００３７】
更にまた、本実施例では、一台の冷却ユニットＲのエバポレータ１２と熱交換した冷気をそれぞれの椅子３・・に分配して、当該椅子３の冷気吹出口２５から冷気を吹き出す構成とされているため、各椅子３ごとに冷却ユニットを設ける場合に比して、著しくコストの削減を図ることができるようになる。
【００３８】
尚、本実施例では、ベンチ１に構成される椅子３は３つであるが１つ又は２つ、若しくは、これ以上であっても良く、椅子の数が限定されるものではない。
【００３９】
尚、例えば冬季など冷気の供給が必要でない場合には、冷却ユニットＲの運転を停止することで、椅子３の着座空間の冷却を停止することができる。また、係る場合において、例えば、椅子３の座４や背５等にヒータを設け、当該ヒータを発熱させることで、椅子３の座４や背５を加熱し、着座した人を暖めてもよい。これにより、夏季など冷房を必要とする場合のみならず、一年を通じてベンチ１を快適に使用することができるようになる。
【図面の簡単な説明】
【００４０】
【図１】ベンチの斜視図である。
【図２】図１のベンチの後方斜視図である。
【図３】図１のベンチの一部切欠縦断側面図である。
【図４】図１のベンチの下部横断平面図である。
【図５】図１のベンチの背部縦断正面図である。
【図６】ベンチの使用状態を示す平面図である。
【図７】吹出部材２５の正面図である。
【図８】図７の吹出部材２５の側面図である。
【図９】ベンチの使用状態を示す縦断側面図である。
【図１０】従来の椅子の使用状態を示す縦断側面図である。
【符号の説明】
【００４１】
Ｒ    冷却ユニット
１    ベンチ
２    本体
３    椅子
４    座部
５    背部
１１  冷気ダクト
１３  ブロアファン（送風機）
１４  冷気吐出口
１５  冷気送出口
２０  冷気吐出部
２２  ダクト配管
２５  吹出部材
３０  グリル
３０Ａ  吹出孔
３１  冷気誘導部
３２  冷気指向板
４０  コンプレッサ
４１  コンデンサ
【図１】
2006102193.tif 000003
【図２】
2006102193.tif 000004
【図３】
2006102193.tif 000005
【図４】
2006102193.tif 000006
【図５】
2006102193.tif 000007
【図６】
2006102193.tif 000008
【図７】
2006102193.tif 000009
【図８】
2006102193.tif 000010
【図９】
2006102193.tif 000011
【図１０】
2006102193.tif 000012